(57)【特許請求の範囲】
【請求項１】
容器口部に嵌着される内筒と肩壁、外筒とからなる嵌着筒と外周にねじを螺設した注出筒を具えた中栓と、中栓の注出筒に螺着され、中栓の外筒上半部を被うキャップ本体とその下端に取着された保護リングとからなるキャップとを備えた液注出容器であって、
キャップ本体の側周壁は、内周が内方に膨出した上部厚肉部を具えており、該上部厚肉部の内周下端には、内方が下方に傾斜する突出縁が設けられていることを特徴とする液注出容器。
【請求項２】
容器口部に嵌着される内筒と肩壁、外筒とからなる嵌着筒と外周にねじを螺設した注出筒を具えた中栓と、中栓の注出筒に螺着され、中栓の外筒上半部を被うキャップ本体とその下端に取着された保護リングとからなるキャップとを備えた液注出容器であって、
キャップ本体の側周壁は、中栓外筒と係合するよう拡径された下部周壁を具えており、
下部周壁の下端には、保護リングが、切断可能な複数の連結片によって、キャップ本体の側周壁下端に取着され、中栓の外筒下半部を覆うよう外筒との間にわずかな間隙をおいて配設されていることを特徴とする液注出容器。
【請求項３】
中栓の注出筒に螺設されたねじの下端にストッパーが並設され、キャップを締着したときに、キャップ本体の螺合筒が中栓肩壁に圧接するとともにキャップ本体の側周壁の上部厚肉部下端の突出縁が中栓肩壁に喰い込み、側周壁の下部周壁が、中栓外筒に嵌合しキャップ内を密封するようにしたことを特徴とする請求項１記載の液注出容器。
【発明の詳細な説明】
【０００１】
【発明の属する技術分野】
本発明は、熱充填容器の中栓とキャップ、とくに容器使用後の廃棄時にキャップとともに中栓を容器口部から抜栓可能とした液注出容器のキャップに関する。
【０００２】
【従来の技術】
容器使用後に、容器口部に嵌着した中栓、またはキャップを抜き取り、分別廃棄することは従来より実施されており、中栓の外筒に拡開防止のための保護リングを嵌着し、容器廃棄時に保護リングを取外し、中栓を容器口部から抜栓すること（例えば実開平６−７６１０６号公報参照）、或いは中栓外筒、キャップ本体の下方部を弱化ラインにしたがって切り取り、キャップ本体上方部をひねるようにして容器口部から中栓を抜栓すること（例えば特開平９−２１６６４５号公報、特開平１０−１１５３号公報参照）は、従来より知られている。
【０００３】
【発明が解決しようとする課題】
しかしながら、上記従来技術は、いずれも熱充填にあたって、温水、常温水を使って徐冷または急冷した場合、キャップ内に蒸気、湿った外気、冷却水等が吸引されることを防止する手段を具えておらず、キャップを開蓋したときに中栓肩壁、或いはキャップ本体の上壁に水がたまるという問題があった。
【０００４】
また前者の実開平６−７６１０６号公報記載の容器は、抜栓のために中栓外筒（外壁６）に複数のスリットを設けており、キャップとともに中栓の構造を変え成形しなければならなかった。
【０００５】
また、後者の特開平９−２１６６４５号公報、特開平１０−１１５３号公報記載のキャップ、中栓は、その下方部に摘み（２２或いは１９）を設けており、該摘みはキャップの外周面より突出しているので、容器の使用中に手指に引っかかり違和感を与えるという問題があった。
【０００６】
本発明は、上記の問題を解決することを課題とし、内容液の熱充填後の冷却にあたって、蒸気、湿った空気、或いは冷却水がキャップ内に吸引されることを防ぐとともに、使用後の容器の廃棄にあたって、保護リングを取り外し、キャップをひねることによって、中栓を容器口部から抜栓するようにした液注出容器を提供することを目的とする。
【０００７】
【課題を解決するための手段】
本発明は、上記の課題を解決するため、液注出容器として、容器口部に嵌着される内筒と肩壁、外筒とからなる嵌着筒と外周にねじを螺設した注出筒を具えた中栓と、中栓の注出筒に螺着され、中栓の外筒上半部を被うキャップ本体とその下端に取着された保護リングとからなるキャップとを備えた液注出容器であって、キャップ本体の側周壁は、内周が内方に膨出した上部厚肉部を具えており、該上部厚肉部の内周下端には、内方が下方に傾斜する突出縁が設けられていることを特徴とする構成を採用する。
【０００８】
液注出容器の別実施例として、容器口部に嵌着される内筒と肩壁、外筒とからなる嵌着筒と外周にねじを螺設した注出筒を具えた中栓と、中栓の注出筒に螺着され、中栓の外筒上半部を被うキャップ本体とその下端に取着された保護リングとからなるキャップとを備えた液注出容器であって、キャップ本体の側周壁は、中栓外筒と係合するよう拡径された下部周壁を具えており、下部周壁の下端には、保護リングが、切断可能な複数の連結片によって、キャップ本体の側周壁下端に取着され、中栓の外筒下半部を覆うよう外筒との間にわずかな間隙をおいて配設されていることを特徴とする構成を採用する。
【０００９】
中栓とキャップとの関連構成として、中栓の注出筒に螺設されたねじの下端にストッパーが並設され、キャップを締着したときに、キャップ本体の螺合筒が中栓肩壁に圧接するとともにキャップ本体の側周壁の上部厚肉部下端の突出縁が中栓肩壁に喰い込み、側周壁の下部周壁が、中栓外筒に嵌合しキャップ内を密封するようにしたことを特徴とする構成を採用する。
【００１０】
【発明の実施の形態】
次に、本発明の実施形態について、図面を参照して説明する。
図１において、Ａは容器で、ガラスまたは合成樹脂で成形されている。
Ｂは中栓で、ＰＥその他軟質の合成樹脂で成形されており、Ｃはキャップで、ＰＰその他硬質の耐熱性合成樹脂で成形されている。
容器Ａの口部１外周には、嵌合突条２とネックリング３が設けられている。
【００１１】
図２，３に示すように、中栓Ｂは、口部１に嵌着する嵌着筒部４と注出筒５とを具えており、嵌着筒部４は、外筒６と内筒７と肩壁８とからなってる。
外筒６の下方内周には、容器Ａの口部１外周に設けられた嵌合突条２に係合する係合突条９が突設され、その係合突条９には、抜栓を容易にするため複数の切欠部１０が設けられている。
【００１２】
内筒７は、口部１の内周に一定の締め代をもって嵌合されるよう内筒７外周上方には膨出部１１が設けられており、内筒７内周下端には、等間隔をおいて縦リブ１２が配設されている。
注出筒５は、前記内筒７を上方に延ばすよう肩壁８の内周縁に沿って立設されており、注出筒５の上端縁は、外方に拡開され湾曲する注出口唇部１３が形成されている。
注出筒５の外周には、ねじ１４が螺設されおり、ねじ１４の終端には、ストッパー１５が並設されている。
【００１３】
注出筒５と内筒７の境目には隔壁１６が連設されており、隔壁１６の裏面には、所定の形状に沿って薄肉を残してＶ字形の切断溝１７が設けられ、その内側の隔壁１６は除去部１８となっている。
除去部１８の上面には、連結片を介して指掛けリング１９が設けられている。
【００１４】
図４，５に示すように、キャップＣは、キャップ本体３０とキャップ本体３０の下端に連設された保護リング３１とからなっている。
キャップ本体３０は、頂壁３２と側周壁３３とを具えており、頂壁３２の下面には、閉蓋時に注出口唇部１３を密封する密封リング３４が垂設されている。
側周壁３３の内側には、螺合筒３５が頂壁３２から垂設されており、等間隔に配設された複数のリブ３６によって側周壁３３と連結されている。
螺合筒３５の内周には、ねじ３７が螺設されており、その下端の始端部３８は、鋭く立ち上げられ、締着時にストッパー１５に圧接するようにしている。
【００１５】
図５に示すように、側周壁３３の螺合筒３５に対応する内周部分は厚肉部３９となっており、その内周下端縁は、テーパをもって下方に突出する突出縁４０となっており、その先端は螺合筒３５の下端面より下方に位置している。
厚肉部３９の下方は厚肉部３９より拡径され、傾斜面４１とそれに続く垂直面４２が形成され、垂直面４２下端には、内方に突出する突条４３が設けられている。
側周壁３３の外周面には、厚肉部３９に対応する部分に周方向に延びる凹部４４が設けられ、側周壁３３上端部は膨出部４５となっている。
【００１６】
保護リング３１は、等間隔に配置された複数の連結片４６を介してキャップ本体３０と連結されており、保護リング３１の上端には、連結片４６の部分を底面とする波面４７が形成されている。
保護リング３１の内周は、中栓Ｂの外筒６の外径よりわずかに大きくなっており、外周面には、周方向に延びる凹部４８が形成されている。
キャップＣを中栓Ｂに被嵌した場合には、中栓Ｂの外筒６の上半部はキャップ本体３０の側周壁３３に、下半部は保護リング３１によって覆われる。
【００１７】
次に、本発明の液注出容器の構成に基づく作用効果について説明する。
まず、内容液の熱充填について説明すると、本容器には、加熱殺菌した内容液が充填される。
加熱充填にあたって、内容液の充填後にキャップＣを被嵌した中栓Ｂが、打栓により容器Ａの口部１に嵌着され、その後に比較的高温の加熱水が注がれ、順次低温の加熱水、常温の冷却水が注がれ、内容液が冷却される。
そのため、蒸気が立ちこめる状況の中で冷却が行われることになり、冷却につれてキャップＣ内が減圧される。
また、殺菌温度が低い場合には、当初から冷却水が注がれ冷却される。
【００１８】
充填時のキャップＣ締着には、キャップＣのねじ始端部３８が中栓Ｂのねじ１４下端のストッパー１５に衝接するまで締着される。
そのことによって、図６に示すように、螺合筒３５の下端が、中栓Ｂの肩壁８に圧接し、キャップＣの側周壁３３内周の厚肉部３９の下端の突出縁４０は、中栓Ｂの肩壁８上面に喰い込み、側周壁３３下端の突条４３が中栓Ｂの外筒６表面に喰い込みキャップＣ内が密封される。
したがって冷却にあたって、キャップＣ内に蒸気、或いは冷却水が吸引されることが阻止される。
【００１９】
打栓時には、内筒７の膨出部１１が口部１内周に嵌合され、外筒６の係合突条９が嵌合突条２の下側に係合して、中栓Ｂが口部１に嵌着される。
そして、内筒７、外筒６とともに肩壁８が口部１上端面に密着することによって容器Ａ内部が密封される。
したがって、冷却にあたって中栓Ｂと容器Ａとの間からは、蒸気或いは湿った外気、冷却水等は吸引されない。
【００２０】
冷却とともに、蒸気、湿った外気等は、口部１の嵌合突条２下面と中栓Ｂの外筒６の係合突条９との間の周辺部分ａ、或いは中栓外筒６とキャップＣの側周壁３３下端との間の周辺部分ｂに引き寄せられ結露し、また、冷却水も引き寄せられるが、部分ａの水分は、容器口部１外周面を伝わって落下し、部分ｂの水分は、外筒６外周と保護リング３１との間を伝わって落下する。
その際、外筒６外周と保護リング３１内周との間は、わずかの隙間しかないので、毛管作用によって下方に誘導される。
したがって、キャップＣの内側の水分は早急に落下するので、容器Ａの乾燥は、全体として均一に行われる。
【００２１】
次に、容器使用中および使用後の廃棄について説明する。
容器使用時には、中栓外筒６は、係合突条９が容器口部１の嵌合突条２に係合しているので、中栓Ｂは容易に抜き取られないが、キャップＣを被嵌してひねっても、保護リング３１が外筒６の下方部を包囲しているので、外筒６の拡開が阻止され、中栓Ｂが抜けることはない。
【００２２】
容器使用後の廃棄にあたっては、キャップＣを取り外し、連結片４６を切ってキャップ本体３０から保護リング３１を切り外す。
その際、保護リング３１の凹部４８を保持して引き下げると、指先が下端の膨出部に引っかかり、切り外しが容易となる。
【００２３】
次いで、再び中栓ＢにキャップＣを被嵌し、図７に示すように、キャップＣを矢印の方向にひねると、キャップＣと中栓Ｂが一体となって、中栓Ｂを容器Ａの口部１から取り外すことができる。
その際、側周壁３３上端部に膨出部４５が形成されているので、指先が引っかかり、滑らないので、キャップにかかるモーメントを強くすることができ、抜栓が容易にしている。
【００２４】
【発明の効果】
本発明は、上記のように構成されているから、次の効果を奏する。
キャップ本体の側周壁に、締着時に、中栓肩壁に喰い込む突出縁を、中栓外周に喰い込む突条を設けたことにより、熱充填にあたって、蒸気、湿った外気をキャップ内に吸引するのを防ぐことができる。
また、保護リングを切断可能な連結片を介してキャップ本体に連結しているから、保護リングを取り外し、再びキャップ本体を中栓に螺着して、キャップをひねることによって、容器の口部から中栓を取り外して、容器とキャップ、中栓を分別廃棄することができる。
【図面の簡単な説明】
【図１】本発明容器の一部断面図である。
【図２】中栓の説明図で、（ａ）は正面図、（ｂ）は断面図である。
【図３】中栓の底面図である。
【図４】キャップの説明図で、（ａ）は一部断面正面図、（ｂ）は底面図である。
【図５】  キャップ要部の拡大説明図である。
【図６】  容器冷却時の作用説明図である。
【図７】  廃棄時の容器の説明図である。
【符号の説明】
Ａ          容器
Ｂ          中栓
Ｃ          キャップ
１          口部
２          嵌合突条
５          注出筒
６          外筒
７          内筒
８          肩壁
９          係合突条
１４、３７  ねじ
１５        ストッパー
３０        キャップ本体
３１        保護リング
３２        頂壁
３３        側周壁
３５        螺合筒
３９        厚肉部
４０        突出縁
４３        突条
４４        凹部
４５        膨出部
４６        連結片
【図１】
0003880788.tif 000002
【図２】
0003880788.tif 000003
【図３】
0003880788.tif 000004
【図４】
0003880788.tif 000005
【図５】
0003880788.tif 000006
【図６】
0003880788.tif 000007
【図７】
0003880788.tif 000008